(57)【特許請求の範囲】
【請求項１】
釣り糸を巻き取る電動リールであって、
リール本体と、
前記リール本体に回転自在に支持された糸巻き用のスプールと、
前記スプールを回転させるモータと、
前記モータの駆動を制御するモータ制御部と、
前記リール本体に揺動自在に設けられ、揺動位置に応じた回転速度で前記モータを停止状態から最大回転状態の間で回転させるレバー状の第１操作部材と、
前記リール本体に設けられ、オン操作されているときのみ前記モータを回転させ、オン操作されていないとき前記モータを停止させる第２操作部材とを備え、
前記モータ制御部は、前記第１操作部材が所定の位置に揺動操作されて前記モータが所定の回転速度で回転しているとき、前記第２操作部材がオン操作されると、前記第１操作部材によって設定された前記所定の回転速度で前記モータを回転させ続けるとともに、前記第１操作部材によって設定された前記所定の回転速度を記憶する制御を行い、
前記モータ制御部は、前記第１操作部材が前記所定の位置に揺動操作されて前記モータが所定の回転速度で回転しているときにおいて、所定の停止条件が満たされたと判断されて前記モータの回転を停止させているとき、前記第２操作部材がオン操作されると、前記モータの回転を停止させ続けるとともに、前記第１操作部材によって設定された前記所定の回転速度を、前記第１操作部材をオフ操作した後に再度前記第２操作部材がオン操作されたときの前記モータの回転速度に設定する制御を行う、電動リール。
【発明の詳細な説明】
【技術分野】
【０００１】
本発明は、電動リール、特に、釣り糸を巻き取る電動リールに関する。
【背景技術】
【０００２】
一般に、巻き上げ時のスプールの回転をモータで行う電動リールは、たとえば、１００ｍ以上の水深を回遊する魚を船の上から釣るときによく使用される。この種の電動リールは、リール本体と、リール本体に装着されたスプールと、スプールを回転させるハンドルと、スプールを巻き上げ方向に回転させるモータとを備えている。リール本体の上面には、カウンタケースが装着されており、このカウンタケースの上面には、水深表示用の液晶ディスプレイを有する表示部と、オン操作されているときのみモータを回転させオン操作されていないときモータを停止させる寸動スイッチや、各種モードの切り替え等を行うモード切り換えスイッチ等の複数のスイッチ操作部とが設けられ、カウンタケースのハンドル側の側面には、モータの回転速度、すなわち、スプールの巻き上げ速度を変更する速度調整レバーが設けられている。
【０００３】
このような電動リールでは、速度調整レバーを所定の第１位置に揺動操作して速度調整レバーの所定の第１位置に対応する所定の第１速度でモータを回転させているとき、寸動スイッチをオン操作すると、寸動スイッチが速度調整レバーより優先して働く、すなわち、速度調整レバーのオン操作及び速度設定が無効になり、寸動スイッチのオン操作及び速度設定が有効になることによって、寸動スイッチをオン操作している間予め別の設定スイッチで設定された寸動スイッチの速度設定の速度でモータを回転させる。そして、寸動スイッチをオン操作している状態で速度調整レバーを所定の第２位置に揺動操作し、寸動スイッチをオフ操作すると、速度調整レバーが働く、すなわち、寸動スイッチのオン操作及び速度設定が無効になり、速度調整レバーのオン操作及び速度設定が有効になることによって、速度調整レバーの所定の第２位置に対応する所定の第２速度でモータを回転させるようになっている（たとえば、特許文献１参照）。
【先行技術文献】
【特許文献】
【０００４】
【特許文献１】特許第４４０８３７８号公報
【発明の概要】
【発明が解決しようとする課題】
【０００５】
前記従来の電動リールは、速度調整レバーの速度は、速度調整レバーの揺動操作によって、釣人の所望する速度に容易に設定できるが、寸動スイッチの速度は別の設定スイッチで設定する必要がある。このため、釣人が速度調整レバーの揺動により設定した最適な速度調整レバーの速度を寸動スイッチの速度にするには、その都度釣人が寸動スイッチを操作して実際の巻き上げ速度を確認しながら、設定スイッチで階層メニューを表示させてから寸動スイッチの速度を設定しなくてはならず、非常に手間が掛かるとともに、釣人が所望する最適な寸動スイッチの速度を迅速かつ容易に得ることが困難である。
【０００６】
本発明の課題は、電動リールにおいて、釣人が所望する最適な寸動スイッチの速度を迅速かつ容易に得ることにある。
【課題を解決するための手段】
【０００７】
発明１に係る電動リールは、釣り糸を巻き取る電動リールであって、リール本体と、リール本体に回転自在に支持された糸巻き用のスプールと、スプールを回転させるモータと、モータの駆動を制御するモータ制御部と、リール本体に揺動自在に設けられ、揺動位置に応じた回転速度でモータを停止状態から最大回転状態の間で回転させるレバー状の第１操作部材と、リール本体に設けられ、オン操作されているときのみモータを回転させ、オン操作されていないときモータを停止させる第２操作部材とを備えている。モータ制御部は、第１操作部材が所定の位置に揺動操作されてモータが所定の回転速度で回転しているとき、第２操作部材がオン操作されると、第１操作部材によって設定されたモータを所定の回転速度で回転させ続けるとともに、第１操作部材によって設定された所定の回転速度を記憶する制御を行う。
【０００８】
この電動リールでは、第１操作部材（速度調整レバー）を所定の位置に揺動操作（オン操作）して第１操作部材の所定の位置に対応する所定の速度でモータを回転させているとき、第２操作部材（寸動スイッチ）をオン操作すると、第１操作部材が第２操作部材より優先して働く、すなわち、第２操作部材のオン操作が無効になり、第１操作部材のオン操作及び速度設定が有効になることによって、第１操作部材の所定の位置に対応する所定の速度でモータを回転させるとともに、予め設定された第２操作部材の速度が第１操作部材の所定の速度に変更・記憶されるようになっている。ここでは、釣人が第１操作部材の揺動により設定した最適な第１操作部材の速度を第２操作部材の速度に自動的に釣人が他に操作することなく設定されるので、釣人が所望する最適な第２操作部材（寸動スイッチ）の速度を迅速かつ容易に得ることができる。
【０００９】
発明２に係る電動リールは、発明１の電動リールにおいて、モータ制御部は、第１操作部材によって設定された所定の回転速度を、第１操作部材のオフ操作によってモータの回転が停止した後に再度第２操作部材がオン操作されたときのモータの回転速度に設定する制御を行う。この場合、第１操作部材を停止位置に揺動操作（オフ操作）して、第２操作部材をオン操作すると、第２操作部材の速度が変更された第１操作部材の所定の速度でモータを回転させるようになっている。
【００１０】
発明３に係る電動リールは、発明１又は２の電動リールにおいて、モータ制御部は、第１操作部材が所定の位置に揺動操作されてモータが所定の回転速度で回転しているときにおいて、所定の停止条件が満たされたと判断されてモータの回転を停止させているとき、第２操作部材がオン操作されると、モータの回転を停止させ続けるとともに、第１操作部材によって設定された所定の回転速度を、第１操作部材をオフ操作した後に再度第２操作部材がオン操作されたときのモータの回転速度に設定する制御を行う。この場合、所定の停止条件として、たとえば仕掛けが穂先の手前に位置する船縁停止位置に位置したときにモータの回転を停止（船縁停止）するようにした場合、船縁停止するまでに釣人が第１操作部材の揺動により設定した最適な第１操作部材の速度を第２操作部材の速度に自動的に釣人が他に操作することなく設定されるので、釣人が所望する最適な第２操作部材（寸動スイッチ）の速度を迅速かつ容易に得ることができる。
【発明の効果】
【００１１】
本発明によれば、電動リールにおいて、第１操作部材が所定の位置に揺動操作されてモータが所定の回転速度で回転しているとき、第２操作部材がオン操作されると、第１操作部材によって設定されたモータを所定の回転速度で回転させ続けるとともに、第１操作部材によって設定された所定の回転速度を、第１操作部材のオフ操作によってモータの回転が停止した後に再度第２操作部材がオン操作されたときのモータの回転速度に設定するようになっているので、釣人が第１操作部材の揺動により設定した最適な第１操作部材の速度を第２操作部材の速度に自動的に釣人が他に操作することなく設定され、釣人が所望する最適な第２操作部材（寸動スイッチ）の速度を迅速かつ容易に得ることができる。
【図面の簡単な説明】
【００１２】
【図１】本発明の一実施形態が採用された釣り用リールの斜視図。
【図２】前記釣り用リールの側面断面図。
【図３】前記釣り用リールのカウンタケースの平面図。
【図４】前記釣り用リールの制御系の構成を示すブロック図。
【図５】前記釣り用リールの調整レバーを最初に操作したときのモータ制御処理を示すフローチャート。
【図６】前記釣り用リールの寸動巻き上げスイッチを最初に操作したときのモータ制御処理を示すフローチャート。
【発明を実施するための形態】
【００１３】
本発明の一実施形態を採用した電動リールは、図１及び図２に示すように、外部電源から供給された電力によりモータ駆動される大型の電動リールであって、糸繰り出し長さ又は糸巻き取り長さに応じて仕掛けの水深を表示する水深表示機能を有する電動リールである。
【００１４】
電動リールは、釣竿に装着可能なリール本体１と、リール本体１の側方に配置されたスプール１０の回転用のハンドル２と、ハンドル２のリール本体１側に配置されたドラグ調整用のスタードラグ３と、本発明の一実施形態による水深表示用のカウンタケース４とを主に備えている。
【００１５】
リール本体１は、フレーム７と、フレーム７の左右を覆う第１側カバー８ａ及び第２側カバー８ｂと、フレーム７の前部を覆う前カバー９（図２参照）とを有している。フレーム７は、たとえば、ガラス繊維を含浸したポリアミド樹脂等の合成樹脂製であり、第１側板７ａ及び第２側板７ｂと、それらを下部、後部及び前上部の３箇所で連結する複数の連結部材７ｃとを有している。
【００１６】
リール本体１の内部には、モータ１２及びハンドル２に連結された糸巻き用のスプール１０が回転自在に支持されている。スプール１０の内部に、スプール１０を糸巻き取り方向に回転駆動するモータ１２が配置されている。また、リール本体１の内部には、スプール１０に連動して動作するレベルワインド機構１３（図２参照）やハンドル２及びモータ１２の回転をスプール１０に伝達する図示しない回転伝達機構等が設けられている。回転伝達機構に設けられた図示しない遊星歯車機構にモータ１２が連結されている。
【００１７】
ハンドル２側の第２側カバー８ｂの中央下部には、図１に示すように、ハンドル２が回転自在に支持されている。また、ハンドル２の支持部分の上方前部には、モータ１２を複数段階に制御するための調整レバー５が揺動自在に支持されている。調整レバー５の後方には、クラッチ操作部材１１が揺動自在に配置されている。クラッチ操作部材１１は、ハンドル２及びモータ１２とスプール１０との駆動伝達をオン、オフする図示しないクラッチをオン、オフ操作するための部材である。このクラッチをオンすると、仕掛けの自重による糸繰り出し中に、糸繰り出し動作を停止できる。ハンドル２と逆側の第１側カバー８ａには、電源ケーブル接続用のコードコネクタ１４が下向きに装着されている。
【００１８】
前カバー９には、図２に示すように、釣り糸通過用の横長の開口９ａが形成されている。下部の連結部材７ｃには、電動リールを釣竿に装着するための竿装着脚部７ｄが形成されている。
【００１９】
リール本体１の第１側板７ａ及び第２側板７ｂの上部に、図１及び図２に示すように、釣り糸の先に装着された仕掛けの水深を表示するカウンタケース４が固定されている。
【００２０】
カウンタケース４は、図２及び図３に示すように、リール本体１の前上部に載置されており、リール本体１の第１側板７ａ及び第２側板７ｂに固定されている。カウンタケース４の上面部には、液晶ディスプレイを有する表示部６２が設けられ、カウンタケース４の内部には、各種の制御を行う制御部６３（図４参照）を備えている。
【００２１】
また、表示部６２の後方には、図３に示すように、寸動巻き上げスイッチＳＷ１、モード切り換えスイッチＳＷ２及び０セットスイッチＳＷ３が配置されている。
【００２２】
寸動巻き上げスイッチＳＷ１は、スイッチ操作をしている間だけモータ１２を駆動し釣り糸を少しだけ巻き上げるためのスイッチである。
【００２３】
モード切り換えスイッチＳＷ２は、モードを切り換えるためのスイッチである。モード切り換えスイッチＳＷ２を操作する毎に上からモード（仕掛けの水深を水面からの深さで表示するモード）と、底からモード（仕掛けの水深を水底からの水深で表示するモード）とに切り換える。また、モード切り換えスイッチＳＷ２を３秒以上長押しすると、寸動巻き上げ速度を変更するモードに移行し、後述する表示部６２のタイマ速度表示領域６２ｃに現在の寸動巻き上げ速度が点滅表示される。そして、調整レバー５の前後方向の揺動操作又はモード切り換えスイッチＳＷ２の押圧操作の回数によって、寸動巻き上げ速度を増減し、０セットスイッチＳＷ３を操作することによって、寸動巻き上げ速度が設定され、タイマ速度表示領域６２ｃが点灯表示になる。
【００２４】
０セットスイッチＳＷ３は、３秒以上操作すると、カウンタを０にリセットするためのスイッチである。
【００２５】
表示部６２は、図３に示すように、上側中央に配置された３桁表示の水深表示領域６２ａと、その右下方に配置された３桁表示のメモ水深表示領域６２ｂと、水深表示領域６２ａの左下方に配置された２桁表示のタイマ速度表示領域６２ｃとを有している。表示部６２のタイマ速度表示領域６２ｃの上方には「通信中」を表す図形、底からモードを表す「底」の文字、速度モードを表す「速」の文字、「バッテリ状態」を表す図形及びさそいモードを表す「さそい」の文字が表示されている。
【００２６】
タイマ速度表示領域６２ｃは、図３に示すように、スプール１０の釣り糸繰り出し方向の回転が検出されているとき（釣り糸が繰り出されているとき）は、釣り糸繰り出し速度（スプール１０の回転速度）を演算して得られた速度単位系の数値を表示し、スプール１０の釣り糸繰り出し方向の回転が所定時間以上検出されなかったとき（スプール１０の釣り糸繰り出し方向の回転が停止したとき）にモータ１２の駆動により釣り糸を巻き上げていないとき（モータ１２が停止したときやハンドル２による手巻きをしているとき）は、釣り糸繰り出し速度に代えて経過時間を０、１、２のように１分単位で表示し、モータ１２の駆動により釣り糸を巻き上げているときは、釣り糸繰り出し速度や経過時間に代えて経過時間が表示されていた表示領域に、モータ１２の速度である調整レバー５の位置（段数）を、たとえば、３１段階で表示する。タイマ速度表示領域６２ｃでは、モータ１２の駆動により釣り糸を巻き上げているときは、モータ１２の速度である調整レバー５の位置（段数）を優先して表示させ、スプール１０の釣り糸繰り出し方向の回転が検出されているとき（釣り糸が繰り出されているとき）でも釣り糸繰り出し速度（スプール１０の回転速度）を表示させないようになっている。また、タイマ速度表示領域６２ｃでは、釣り糸繰り出し速度（スプール１０の回転速度）を優先して表示させ、経過時間を表示させないようになっている。タイマ速度表示領域６２ｃでは、釣り糸繰り出し速度や経過時間を他の表示部分と異なる色で１秒毎に点滅表示し、モータ１２の速度である調整レバー５の位置（段数）を他の表示部分と同様に点灯表示するようになっている。
【００２７】
制御部６３は、図４に示すように、機能構成としてモータ１２を制御するモータ制御部６０と、表示部６２を制御する表示制御部６１とを有している。モータ制御部６０は、モータ１２をＰＷＭ制御する。
【００２８】
制御部６３には、寸動巻き上げスイッチＳＷ１、モード切り換えスイッチＳＷ２及び０セットスイッチＳＷ３が接続されている。また、制御部６３には、表示部６２と、スプール１０の回転速度及び回転方向を検出するためのスプールセンサ６４と、ブザー６５と、モータ１２をＰＷＭ駆動するＦＥＴを含むモータ駆動回路６６と、タイマ６７とが接続されている。
【００２９】
モータ駆動回路６６は、調整レバー５及び寸動巻き上げスイッチＳＷ１の操作に応じてモータ１２の駆動を制御する。モータ駆動回路６６は、予め設定した仕掛けが穂先の手前に位置する船縁停止位置でモータ１２の駆動を停止させる制御を行うようになっている。
【００３０】
タイマ６７は、経過時間を計測するタイマであって、スプール１０の釣り糸繰り出し方向の回転が所定時間以上検出されなかったとき、すなわち、スプール１０の釣り糸繰り出し方向の回転が停止したときにタイマ６７が自動的に開始されるようになっている。また、タイマ６７は、モータ駆動回路６６が予め設定した仕掛けが穂先の手前に位置する船縁停止位置でモータ１２の駆動を停止させる制御を行ったとき、経過時間の計測を停止しかつ経過時間を初期状態にリセットするようになっている。
【００３１】
次に、制御部６３のモータ制御部６０によって行われるモータ制御処理を図５及び図６に示す制御フローチャートに従って説明する。なお、図５では、調整レバー５を最初に操作したときのモータ制御処理を示し、図６では、寸動巻き上げスイッチＳＷ１を最初に操作したときのモータ制御処理を示している。
【００３２】
まず、調整レバー５を最初に操作したときのモータ制御処理を図５によって説明する。電動リールの電源がオンされ、水深表示を「０」にしたり、各種のフラグをリセットする初期設定が行われた状態で開始される。そして、図５に示すステップＳ１において、調整レバー５の前後方向の揺動操作又はモード切り換えスイッチＳＷ２の押圧操作の回数によって、寸動巻き上げ速度を増減し、０セットスイッチＳＷ３を操作することによって、初期の寸動巻き上げ速度が設定される。ステップＳ１において、初期の寸動巻き上げ速度が設定されると、ステップＳ２へ移行する。
【００３３】
ステップＳ２では、調整レバー５が揺動操作されたか否かを判断する。調整レバー５が所定の位置に揺動操作されたと判断されると、ステップＳ３へ移行し、調整レバー５の揺動位置に応じた所定の回転速度でモータ１２を回転させ、ステップＳ４へ移行する。また、調整レバー５が所定の位置に揺動操作されていないと判断されると、ステップＳ１５へ移行する。ステップＳ１５では、寸動巻き上げスイッチＳＷ１がオン操作されたか否かを判断し、寸動巻き上げスイッチＳＷ１がオン操作されたと判断されると、ステップＳ１６へ移行し、ステップＳ１で予め設定された初期の寸動巻き上げ速度でモータ１２を回転させる。
【００３４】
ステップＳ４では、ステップＳ３において、調整レバー５が所定の位置に揺動操作されてモータ１２が所定の回転速度で回転しているとき、仕掛けが穂先の手前に位置する船縁停止位置に位置したか否かを判断する。ステップＳ４において、仕掛けが船縁停止位置に位置していないと判断されると、モータ１２を回転させ続け、ステップＳ５へ移行する。また、ステップＳ４において、仕掛けが船縁停止位置に位置したと判断されると、ステップＳ９へ移行し、モータ１２を回転停止させ、ステップＳ１０へ移行する。ステップＳ１０では、寸動巻き上げスイッチＳＷ１がオン操作されたか否かを判断し、寸動巻き上げスイッチＳＷ１がオン操作されたと判断されると、ステップＳ１１へ移行する。そして、ステップＳ１１において、モータ１２が回転停止したときの調整レバー５の揺動位置に対応する巻き上げ速度を記憶し、ステップＳ１２へ移行する。ステップＳ１２では、モータ１２が回転停止したときに記憶された調整レバー５の揺動位置に対応する速度を寸動巻き上げスイッチＳＷ１の寸動巻き上げ速度に変更する設定を行い、ステップＳ１３へ移行する。ステップＳ１３では、調整レバー５をオフ操作した後に再度寸動巻き上げスイッチＳＷ１がオン操作されたか否かを判断し、調整レバー５をオフ操作した後に再度寸動巻き上げスイッチＳＷ１がオン操作されたと判断されると、ステップＳ１４へ移行し、ステップＳ１２で設定されたモータ１２が回転停止したときに記憶された調整レバー５の揺動位置に対応する速度でモータ１２を回転させる。
【００３５】
ステップＳ５では、ステップＳ４において、船縁停止していないと判断され、調整レバー５が所定の位置に揺動操作されてモータ１２が所定の回転速度で回転しているとき、寸動巻き上げスイッチＳＷ１がオン操作されたか否かを判断し、寸動巻き上げスイッチＳＷ１がオン操作されたと判断されると、ステップＳ６へ移行する。ステップＳ６では、調整レバー５の揺動位置によって設定された所定の回転速度を寸動巻き上げスイッチＳＷ１の寸動巻き上げ速度（調整レバー５のオフ操作によってモータ１２の回転が停止した後に再度寸動巻き上げスイッチＳＷ１がオン操作されたときのモータ１２の回転速度）に変更する設定を行い、ステップＳ７へ移行する。ステップＳ７において、調整レバー５のオフ操作によってモータ１２の回転が停止した後に再度寸動巻き上げスイッチＳＷ１がオン操作されたと判断されると、ステップＳ８へ移行し、ステップＳ６で設定された調整レバー５の揺動位置によって設定された所定の回転速度でモータ１２を回転させる。
【００３６】
次に、寸動巻き上げスイッチＳＷ１を最初に操作したときのモータ制御処理を図６によって説明する。電動リールの電源がオンされ、水深表示を「０」にしたり、各種のフラグをリセットする初期設定が行われた状態で開始される。そして、図６に示すステップＳ２１において、調整レバー５の前後方向の揺動操作又はモード切り換えスイッチＳＷ２の押圧操作の回数によって、寸動巻き上げ速度を増減し、０セットスイッチＳＷ３を操作することによって、初期の寸動巻き上げ速度が設定される。ステップＳ２１において、初期の寸動巻き上げ速度が設定されると、ステップＳ２２へ移行する。
【００３７】
ステップＳ２２では、寸動巻き上げスイッチＳＷ１がオン操作されたか否かを判断し、寸動巻き上げスイッチＳＷ１がオン操作されたと判断されると、ステップＳ２３へ移行し、ステップＳ２１で予め設定された初期の寸動巻き上げ速度でモータ１２を回転させ、ステップＳ２４へ移行する。
【００３８】
ステップＳ２４では、調整レバー５が揺動操作されたか否かを判断し、調整レバー５が揺動操作されたと判断されたときは、ステップＳ２５へ移行し、モータ１２の回転を停止する。
【００３９】
このような構成の釣り用リールでは、釣り糸を繰り出すときには、クラッチ操作部材１１を手前（後方）に操作することによりクラッチをオフする。クラッチオフすると、スプール１０が自由回転状態になり、釣り糸に装着された重りの自重により釣り糸がスプール１０から繰り出される。釣り糸が繰り出されるとスプール１０が糸繰り出し方向に回転し、スプールセンサ６４の検出パルスにより表示部６２の水深表示が繰り出し量に応じて変化する。仕掛けが棚に到達すると、ハンドル２を糸巻き取り方向に回して図示しないクラッチ戻し機構によりクラッチをオンして釣り糸の繰り出しを停止する。
【００４０】
魚等の当たりがあると、調整レバー５を操作し釣り糸を巻き上げる。調整レバー５を図１時計回りに揺動させると、その揺動角度に応じてスプール１０の回転速度又は釣り糸に作用する張力の最大値を段階的に設定できる。
【００４１】
このような釣り用リールでは、調整レバー５が所定の位置に揺動操作されてモータ１２が所定の回転速度で回転しているとき、寸動巻き上げスイッチＳＷ１がオン操作されると、調整レバー５によって設定されたモータ１２を所定の回転速度で回転させ続けるとともに、調整レバー５によって設定された所定の回転速度を、調整レバー５のオフ操作によってモータ１２の回転が停止した後に再度寸動巻き上げスイッチＳＷ１がオン操作されたときのモータ１２の回転速度に設定するようになっている。ここでは、調整レバー５を所定の位置に揺動操作（オン操作）して調整レバー５の所定の位置に対応する所定の速度でモータ１２を回転させているとき、寸動巻き上げスイッチＳＷ１をオン操作すると、調整レバー５が寸動巻き上げスイッチＳＷ１より優先して働く、すなわち、寸動巻き上げスイッチＳＷ１のオン操作が無効になり、調整レバー５のオン操作及び速度設定が有効になることによって、調整レバー５の所定の位置に対応する所定の速度でモータ１２を回転させるとともに、予め設定された寸動巻き上げスイッチＳＷ１の速度が調整レバー５の所定の速度に変更・記憶されるようになっている。そして、調整レバー５を停止位置に揺動操作（オフ操作）して、寸動巻き上げスイッチＳＷ１をオン操作すると、寸動巻き上げスイッチＳＷ１の速度が変更された調整レバー５の所定の速度でモータ１２を回転させる。ここでは、釣人が調整レバー５の揺動により設定した最適な調整レバー５の速度を寸動巻き上げスイッチＳＷ１の速度に自動的に釣人が他に操作することなく設定されるので、釣人が所望する最適な寸動巻き上げスイッチＳＷ１の速度を迅速かつ容易に得ることができる。
【００４２】
〔他の実施形態〕
前記実施形態では、外部電源から供給された電力によりモータ駆動される大型の電動リールを例にあげて説明したが、これに限定されるものではなく、たとえば外部電源から供給された電力によりモータ駆動される小型の電動リールであってもよい。
【符号の説明】
【００４３】
１  リール本体
２  ハンドル
３  スタードラグ
４  カウンタケース
５  調整レバー
７  フレーム
７ａ  第１側板
７ｂ  第２側板
７ｃ  連結部材
７ｄ  竿装着脚部
８ａ  第１側カバー
８ｂ  第２側カバー
９  前カバー
９ａ  開口
１０  スプール
１１  クラッチ操作部材
１２  モータ
１３  レベルワインド機構
１４  コードコネクタ
６０  モータ制御部
６１  表示制御部
６２  表示部
６２ａ  水深表示領域
６２ｂ  メモ水深表示領域
６２ｃ  タイマ速度表示領域
６３  制御部
６４  スプールセンサ
６５  ブザー
６６  モータ駆動回路
６７  タイマ
ＳＷ１  寸動巻き上げスイッチ
ＳＷ２  モード切り換えスイッチ
ＳＷ３  ０セットスイッチ
【図１】
0005798808.tif 000002
【図２】
0005798808.tif 000003
【図３】
0005798808.tif 000004
【図４】
0005798808.tif 000005
【図５】
0005798808.tif 000006
【図６】
0005798808.tif 000007